Podtech/llm-jp-corpus-v4-ja_patent huggingface dataset:
(57)【要約】      （修正有）【課題】古代から経験則によって非常に良く知られた重要な「つぼ」「中極、関元、会陰」を「振動」によって刺激マッサージする事によって勃起力強化ＥＤ治療を施して勃起した陰茎に強力な磁気刺激を与える事によって陰茎海綿体を増大強化させる事によって「陰茎組織増大強化勃起力強化ＥＤ治療」を実施する事によって夫婦円満家庭平和をもたらす事を図る。【解決手段】弾力の強いソフトシリコン（穴明き呼吸する素材）のパンツを作成してパンツにバイブレーターを取り付ける。強力永久磁石を使用。段階調節可能な高度強バイブレーターを使用。陰圧に出来るプラステイック筒に直径１０ｍｍ厚さ３ｍｍの強力永久磁石を３６個取り付けて強力磁場が出来る様にする。【選択図】図１
2005342477.tif 000002
【特許請求の範囲】
【請求項１】
陰茎を空気陰圧によってプラステイック筒の中で強制勃起させて勃起状態で陰茎海綿体に強力磁力刺激を与える事によって「陰茎海綿体組織を増大強化」せしめて更に「会陰部」及び「関元部」及び「中極部」を「電気振動」によって刺激マッサージする事によって「会陰尾骨筋及び腹筋を強化して尿漏れ便秘解消」をし更に「勃起力を強化」してＥＤ（勃起不全）を改善治療して夫婦円満家庭平和を実現させる機器に対して特許を請求します。
【発明の詳細な説明】
【技術分野】陰茎組織増大強化会陰尾骨筋腹筋強化勃起力強化ＥＤ治療機
【背景技術】磁気及び振動による陰茎組織増大強化、会陰尾骨筋腹筋強化、勃起力強化ＥＤ治療つぼ刺激
【発明の開示】
発明が開示しようとする課題」
【０００３】古代から経験則によって非常に良く知られた重要な「つぼ」「中極、関元、会陰」を「振動」によって刺激マッサージする事によって勃起力強化会陰尾骨筋腹筋強化ＥＤ治療を施して勃起した陰茎に強力な磁気刺激を与える事によって陰茎海綿体を増大強化させる事によって「陰茎組織増大強化会陰尾骨筋腹筋強化勃起力強化ＥＤ治療」を実施する事によって尿漏れ便秘解消、夫婦円満家庭平和をもたらす事が出来る。
【課第を解決する為の手段】
▲１▼空気陰圧に出来るプラステイック筒に３６個の強力永久磁石を取り付ける事によって筒内を強力な磁場にする。▲２▼空気陰圧強制勃起させた陰茎を筒の中に留めておく。▲３▼「会陰部及び中極部及び関元部」にバイブレーターをとりつけたパンツをはいて「つぼ振動刺激」を与える事によって会陰尾骨筋腹筋強化、勃起機能精力を強化する事が出来る様にする。
【発明の効果】
古代から経験則によって非常に良く知られた重要な「つぼ」「中極、関元、会陰」を「振動」によって刺激マッサージする事によって会陰尾骨筋腹筋強化勃起力強化ＥＤ治療を施して勃起した陰茎に強力な磁気刺激を与える事によって陰茎海綿体を増大強化させる事によって「陰茎組織増大強化会陰尾骨筋腹筋強化勃起力強化ＥＤ治療」を実施する事によって尿漏れ便秘解消、夫婦円満家庭平和をもたらす事が出来る。
【発明を実施する為の最良の形態】
プラステイック筒に直径１０ｍｍ厚さ３ｍｍの強力永久磁石を３６個取り付けて筒内を強力な磁場に出来る様にする。筒の半径長さは個人に合わせてオーダーメイドとする。プラステイック筒内を陰圧にして陰茎を強制勃起出来る様にしておく。パンツの会陰部及び中極部及び関元部にバイブレーターを取り付けれる様にする。
【実施例】鍼灸マッサージ等によって長い間証明された実績があります。
【産業上の利用可能性】プラステイック業界（化学）分野及び「永久磁石作成業界」等に発明と需要を創設
【図面の簡単な説明】
【図１】陰圧に出来るプラステイック筒に直径１０ｍｍ厚さ３ｍｍの強力永久磁石を３６個取り付けて強力磁場が出来る様にする。
【図２】パンツの会陰部及び中極部及び関元部にバイブレーターを取り付けて同部を電気振動刺激も出来る様にする事によって会陰尾骨筋及び腹筋強化を施して尿漏れ及び便秘を軽減解消する。
【図１】
2005342477.tif 000003
【図２】
2005342477.tif 000004
(57)【要約】【課題】既存、新規に制作しするに係らず、義歯溝を設けることによりくっつきやすい食べ物でもくっつきにくくすることを提供することにある。【解決手段】上顎の義歯の口蓋部に口蓋溝を設けることにより解決手段とした。【選択図】    図  ３
2005342472.tif 000002
【特許請求の範囲】
【請求項１】
くっつかあんは、既存の義歯、及び新規に製作される上顎の歯槽提（歯ぐき）に装着する義歯（部分入れ歯、総入れ歯）の口蓋に人工口蓋溝を設けることを特徴とするくっつかあん。
【発明の詳細な説明】
【発明の詳細な説明】
【技術分野】
【０００１】本発明は、義歯に食べ物のくっ付きを防止に関する。
義歯の口蓋に人工口蓋溝を設けた場合、くっつきやすい食べ物がくっつきにくいことを、発見者が発見したことで、くっつきにくいなどの個人的実験をくり返し、その例は数百人に及んでいる。
義歯の口蓋に、口蓋襞設けても良いことになっていますが、口蓋襞を設けている義歯は殆ど見かけない。
本発見は、口蓋襞の替わりに口蓋に溝を設ける効果は、医学的に証明されるものかどうかは、今後の問題に属すべきことで、本願の主眼とすべきところではない。
【背景技術】
【０００２】従来、口蓋部分に口蓋襞を設けられているが、口蓋部分に溝を設けている構造の義歯は知られていない。
【発明が解決しようとする課題】
【０００３】義歯に口蓋襞を設けていない既存のもの、新しく制作するものに係らず口蓋に溝を提供することを解決課題とする。
【発明を解決するための手段】
【０００４】前述した目的を達成するために、本発明、請求項１記載で示すように、くっつかあんは、口蓋に溝を設けることで凹面となり、装着しても何等違和感なく装着でき、唾液の層ができるためにくっつきやすい食べ物でもくっつきにくくすることで解決手段とした。
【発明の実施する形態】
【０００５】発明の形態を実施例に基づき図面１、図面２・図面３を示して説明する。
図面１の説明と形態を説明する。
くっつかあんの全部床義歯の口蓋の溝の模様を表した形態。
図面２の説明と形態を説明する。
くっつかあんの部分床義歯の口蓋の溝の模様を表した形態。
個人の口蓋襞の形態を参考に模写して口蓋溝を設けることができる形態。
図面３の説明と形態を説明する。
くっつかあんは、義歯の口蓋部分に溝を設けた状態の形態。
【発明の効果】
【０００６】本発明は以上説明したように構成されているので、以下に記載されるように効果奏できる。
（イ）  既存のものにも簡単に設けることができる。
（ロ）  口蓋にくっつきやすい食べ物がくっつかない。
（ハ）  口蓋の溝は必ずしも口蓋襞と一致しなくとも効果は変わらない。
（ニ）  義歯に口蓋襞を設けるよりも簡単に製作できる。
（ホ）  襞よりも溝のため舌などの違和感がない。
【図面の簡単な説明】
【０００７】
【図１】  本発明の請求項１に係るくっつかあんは、全部床義歯の口蓋に溝を設けた全体模様状態の平面図である。
【図２】  本発明の請求項１に係るくっつかあんは、部分床義歯の口蓋に溝を設けた全体模様状態の平面図である。
【図３】  本発明の請求項１に係るくっつかあんは、図１のイの線状における口蓋に溝を設けた状態の断面図である。
【符号の説明】
１  口蓋
２  人工歯
３  口蓋溝（口蓋に設けた溝）
４  床
５  口蓋溝の全体模様
【図１】
2005342472.tif 000003
【図２】
2005342472.tif 000004
【図３】
2005342472.tif 000005
(57)【要約】【課題】本発明は、関節内部ならびに周囲の広い範囲を牽引し広げ、刺激を与えることによって、治療効果を高めるものである。【解決手段】弾性体の一端に手で握れるグリップを設け、他端にフックを設ける。そのフックを安定した構造体の一部に引っかけ、体重を引っかけ位置とは反対の方向へかける。体重と弾性体の反発力により肩関節が広がり、牽引治療が実施できる。【選択図】図１
2005342471.tif 000002
【特許請求の範囲】
【請求項１】
弾性体の反発力と自体重を利用した肩こり治療方法。
【請求項２】
弾性体の一端に手やその周辺での保持を可能とする手段を有し別の一端に固定手段を有する牽引式治療器。
【請求項３】
弾性体の一端に手やその周辺での保持を可能とする手段を有し別の一端に第１の固定手段を有する牽引式治療器と該牽引式治療器の第１の固定手段に係合する第２の固定手段を有する牽引式治療補助器とからなる牽引式治療器。
【請求項４】
弾性体の一端に手やその周辺での保持を可能とする手段を有し別の一端に第１の固定手段を有する牽引式治療器と該牽引式治療器の第１の固定手段と係合する第２の固定手段を少なくとも垂直方向に複数個有した構造体とからなる牽引式治療器。
【請求項５】
弾性体の一端に手やその周辺での保持を可能とする手段を有し別の一端に第１の固定手段を有する牽引式治療器と該牽引式治療器の第１の固定手段と係合する移動可能な第２の固定手段有した構造体とからなる牽引式治療器。
【請求項６】
弾性体の一端に手やその周辺での保持を可能とする手段を有する牽引式治療器と該牽引式治療器を複数個有した構造体。
【請求項７】
弾性体の一端に手やその周辺での保持を可能とする手段を有する牽引式治療器と１個以上の移動可能な該牽引式治療器を有した構造体。
【請求項８】
弾性体の一端に手やその周辺での保持を可能とする手段を有し別の一端に固定手段を有する牽引式治療器を使用し、前記弾性体の反発力と自体重を利用した肩こり治療方法。
【請求項９】
弾性体の一端に手やその周辺での保持を可能とする手段を有し別の一端に第１の固定手段を有する牽引式治療器の第１の固定手段と係合する固定手段を有する牽引補助具、もしくは牽引補助器。
【請求項１０】
完全または不完全な輪状部の形成を可能とし柱状物への取り付けを可能とし、弾性体の一端に第１の固定手段を有した牽引式治療器の第１の固定手段に係合する第２の固定手段を有する、牽引式治療補助具。
【発明の詳細な説明】
【技術分野】
【００１】本発明は、関節を牽引し伸ばすことにより患部を治療できる牽引式治療器についてである。
【背景技術】
【００２】肩こりをほぐす場合、多くの治療器は、皮膚上から患部を刺激し治療しようとする。この場合、治療範囲が体表面付近に限定されてしまうため、関節内部のこりは治療できない。よって、根本的な治療は不可能である。
【発明の開示】
【発明が解決しようとする課題】
【００３】関節を伸ばし開くことにより内部まで刺激を与えることが可能になり、深部にあるこりをまでをほぐすことができる。
【課題を解決するための手段】
【００４】体重移動と弾性体の反発力により関節を牽引し伸ばす。
【発明の効果】
【００５】関節周囲の広い範囲の組織が牽引され伸ばされるので治療効果が大きい。また、電源がいらないので固定手段（５）の代用具が存在する場所であれば、場所を問わず治療できる。
【発明を実施するための最良の形態】
【００６】    イ）手で握る手段（２）に弾性体（３）と第１の固定手段（４）を取り付ける。
ロ）（イ）から成る牽引器を、構造体（６）上に配された第２の固定手段（５）に固定する。
【実施例】
【００７】    イ）バネ（３）の一端にフック（４）、別の一端にグリップ（２）を取り付ける。
ロ）（イ）から成る牽引器を、構造体（６）上に配された固定具（５）に固定する。
ハ）肩こりを例に取った場合、（イ）を装着した治療対象者は（ロ）の状態で、治療対象者（８）の位置に立ち、固定具（５）の反対方向に体重移動をすることにより肩関節を伸ばすことができる。固定具（５）を複数個配することにより図２のごとく牽引角度が自由に調節可能となる。また、弾性体は脱着可能であり強弱・長さ等の調整が可能であり、内部もしくは周辺にセンサー等を設け負荷状況等を関係者に示すことも可能。
【図面の簡単な説明】
【００８】
【図１】牽引式治療器本体
【図２】牽引式治療補助器１
【図３】牽引式治療補助器２
【符号の説明】
【００９】          １            手
２            グリップ
３            バネ
４            フック
５            固定具
６            構造体
７            輪状の補助具の取り付け部
８            治療対象者
【図１】
2005342471.tif 000003
【図２】
2005342471.tif 000004
【図３】
2005342471.tif 000005
(57)【要約】【課題】野球の素振り練習は、自分のバットスウイングが良いのか、悪いのかを判断しにくく、単調なので飽きやすい。【解決手段】内部が空洞（３）で、側面に複数の穴（２）を設けたゴム製リング（１）をバット（４）に装着することにより、バットスウイング時に音を発生させることを可能とするエアーサウンドリングを提供する。【選択図】図１
2005342479.tif 000002
【特許請求の範囲】
【請求項１】
内部が空洞（３）となっているゴム製リング（１）にエアー導入用の穴（２）を設けたスポーツ練習用のエアーサウンドリング。
【請求項２】
前記の穴（２）は、ゴム製リング（１）の外部側面に複数の円形の穴を設けていることを特徴とする請求項１記載のエアーサウンドリング。
【発明の詳細な説明】
【技術分野】
【０００１】  この発明は、スポーツ練習に用いる、内部が空洞のリングに穴を設けたエアーサウンドリングに関するものである。
【背景技術】
【０００２】  従来の野球のバットスイング練習は、ただバットを振るだけ、又はバットにおもりのリングを取り付けるだけのものであった。
【発明の開示】
【発明が解決しようとする課題】
【０００３】これには次のような欠点があった。
（イ）自分のスウイングが良いのか、悪いのか、自分ではなかなか判断できない。
（ロ）正しくない素振り練習を繰り返すことで、悪い癖が身に付いてしまう。
（ハ）自分に合ったバットスウイングを、探す手段が少ない。
（ニ）単調にバットを振るだけでは飽きやすい。
本発明は、この欠点を解決することを課題とする。
【課題を解決するための手段】
【０００４】  以上の課題を解決するために、第一発明は、内部が空洞（３）となっているゴム製リング（１）に穴を設ける（２）ことを特徴とするエアーサウンドリングである。
また、第二発明は、リングの側面に２個以上の穴（２）を設け、エアー導入、排出により音を出すことを可能とする構成のエアーサウンドリングである。
これをバットの芯の部分に装着して素振りを行うことにより、音を発生させる。
【発明の効果】
【０００５】  これには次のような効果がある。
（イ）音を聞きながら素振り練習をするので、自分に合ったバットスウイングを判断できる。
（ロ）指導者がいなくても、自分の考えで色々なバットスウイングを試すことができる。
（ハ）スウイングの結果が音で直ぐにわかり、よりよい音を出すように頑張るので、練習が飽きない。
（ニ）穴の個数の調整で、小さい子供でも素振りで音を出すことができる。
【発明を実施するための最良の形態】
【０００６】  この発明の一実施形態を、図３に示す。
エアーサウンドリングをバットのグリップ部分より通し、バットの芯の辺りで留める。リングの穴の部分がバットスイングの際に正面を向くようにバットを握り、スイングを行う。スイング時にリングの正面から空気が入り、空洞を通って側面、又は背面の穴から排出することにより、音が発生する。音をたよりに色々なスウイングを、考えながら試すことができ、自分に合った、理想のバットスウイングを探し出すことできる。音を高く鳴らすには、鋭いスイングが必要となる。【０００７】スイング練習をする人のレベルにより、穴の個数を調節する。例えば、まだ非力な子供の場合は穴の多いリングを使用することにより、音を出やすくする。逆にレベルの高い人は穴の個数を最低２個にし、鋭いスイングでなければ音が出ないようにする。【０００８】「実施形態の効果」
この実施形態によれば、スイング時の音を判断基準として、よいスイングか悪いスイングかの判断ができる。又、どのような音が出るのか、いろいろなスイングを試してみることも出来る。音が出るので、ただバットを振るのに比べて飽きがこない。【０００９】「他の実施形態」
手で直接エアーサウンドリングを持ち、ピッチング練習に用いる。手の振りが早いほどよい音が出る。又、テニスのラケットに取り付けることで、バットスイングと同様に素振り練習の効果がある。
【図面の簡単な説明】
【００１０】
【図１】この発明の斜視図である。
【図２】この発明の底面図である。
【図３】この発明の一実施形態を示す側面図である。
【符号の説明】
【００１１】１  サウンドリング本体
２  エアー導入用の穴
３  リングの内部は空洞
４  野球バット
【図１】
2005342479.tif 000003
【図２】
2005342479.tif 000004
【図３】
2005342479.tif 000005
(57)【要約】【課題】習字を、模型玩具にして、容易に楽しむ。【解決手段】習字道具を、プラスチックで作成して、まったく新しい雑貨として、古来からの、習字が、玩具として、容易に用いること。【選択図】図１
2005342476.tif 000002
【特許請求の範囲】
【請求項１】
硯、筆、文鎮、筆立てを、プラスチックで作成して、習字道具の模型玩具の雑貨とすること。
【発明の詳細な説明】
【技術分野】
【０００１】本発明は、プラスチックで作成した、習字道具の模型玩具の雑貨商品。
【背景技術】
【０００２】習字道具を簡単にして、気軽な、玩具にする。
【発明開示】
【発明が解決しようとする課題】
【０００３】習字道具を、プラスチックで、作成して、珍しい、今までにない、雑貨商品とすること。
【課題を解決する手段】
【０００４】習字道具を、プラスチックで、作成する。
【発明の効果】
【０００５】面白い、変わった、雑貨商品になります。今までには、ありませんでした。新しい世代には、楽しい玩具になると思います。
【発明を実施するための最良の形態】
【０００６】手軽な、習字道具の玩具として、手紙を書いたりして、遊んでほしい。
【実施例】
【０００７】気楽な、友人に送る、手紙に書いたりするのに使う。
【産業上の利用可能性】
【０００８】低コストで、できるので、販売しやすい。プラスチックで作成するだけなので、作成は、容易。店頭に、置けば、目に付くので、宣伝がいらない。十分に、売れると思う。口コミで、広がることを、期待する。プラスチックの習字道具、模型玩具として、雑貨商品にする。１００円ショップの商品とするのが、ベスト。雑貨屋さんや、文具屋さんでも、売れると思う。
【図面の簡単な説明】
【０００９】
【図１】本発明の、プラスチック、硯の図である。
【図２】本発明の、プラスチック、筆の図である。
【図３】本発明の、プラスチック、文鎮の図である。
【図４】本発明の、プラスチック、筆立ての図である。
【図１】
2005342476.tif 000003
【図２】
2005342476.tif 000004
【図３】
2005342476.tif 000005
【図４】
2005342476.tif 000006
(57)【要約】【課題】  蹄の形をなす二つのＣリングのばね作用を利用した首トレーニング器を提供する。【解決手段】  人の首に合わせた一定の大きさのＣリング（１）とＣリング（２）を蹄の形になるように両端を固定する。そして固定したＣリング（１）とＣリング（２）に一定の弾力性を持たせる特徴とする首トレーニング器である。またリングの中央部から曲げ、出来上がった半円形をＣ字形に成形することを特徴とする。【選択図】  図１
2005342487.tif 000002
【特許請求の範囲】
【請求項１】
Ｃリング（１）とＣリング（２）を蹄の形になるように両端を固定した首トレーニング器。
【請求項２】
リングの中央部から曲げ、出来上がった半円形をＣ字形に成形する首トレーニング器。
【発明の詳細な説明】
【技術分野】
【０００１】  本発明は蹄の形をなす二つのＣリングのばね作用を利用した首トレーニング器に関するものである。
【背景技術】
【０００２】  従来、ベルトの一端に重りをつけ、もう一端を人の頭部に締め付けて運動を行う首トレーニング器があった。
【発明の開示】
【発明が解決しようとする課題】
【０００３】  そのため、次のような問題点があった。
（イ）ベルトで頭を締め付ける不快感があった。
（ロ）一定の体勢を保たないと利用できない弱点があった。
（ハ）装着するのは不便であった。
【課題を解決しようとする手段】
【０００４】  人の首に合わせた一定の大きさのＣリング（１）とＣリング（２）を蹄の形になるように両端を固定する。
または、リングの中央部からＵ字形、あるいはＶ字形に曲げ、出来上がった半円形をＣ字形に成形する。
本発明は以上の特徴とする、首トレーニング器である。
【発明の効果】
【０００５】  本発明は首に直接装着する器具なので、どんな姿勢でも利用できる非常に便利な首トレーニング器である。使用時、本発明を首に当て、二つのＣリングの弾力性を利用し、頭を上下動かして、首の筋肉と頚椎骨のトレーニングを行う。さらに、背中、肩、顎などの運動にもつながり、それによって、首の肥満の解消、肩こりの改善、脳の血流状況の促進、ぼけを予防するなどの効果が得られる。
【発明を実施するための最良の形態】
【０００６】  以下、本発明の実施の形態について説明する。
（イ）人の首に合わせた一定の大きさのＣリング（１）とＣリング（２）の開き口を同じ方向に向けて重ね合わせる。
（ロ）Ｃリング（１）とＣリング（２）を蹄の形になるように両端を固定する。または、一本のリングを持って蹄の形に成形してもよい。
（ハ）蹄の形に成形したＣリング（１）とＣリング（２）に一定の弾力性を持たせる。
本発明は以上のような構成で、使用時、首トレーニング器の開き口のところから首にフィットした形で当て、Ｃリング（１）とＣリング（２）の緩やかなカーブのところを顎と鎖骨の間に挟んだ形で装着する。そこで、頭を上下運動することで、Ｃリング（１）とＣリング（２）の弾力性を利用して、首、背中、肩、顎のトレーニングができる。もちろん首の後から装着し、トレーニングすることもできる。そしてＣリング（１）とＣリング（２）に中空クッションを取り付けて、体にやさしいうえすべりにくくなる。
またＣリング（１）とＣリング（２）の両端の固定個所で、弾力の強度を調整する装置を設置してもよい。
さらにＣリング（１）とＣリング（２）の両端を玉状のもので固定してもよい。それによって、ある程度の指圧効果も得られる。【０００７】  他の実施の形態について説明する。
リングの中央部からＵ字形にあるいはＶ字形に曲げ、できた半円形をＣ字形に成形する。また両端をコイルばねに成形してもよい。
そしてリングに中空クッションを取り付けてもよい。
また本発明はプラスチックなどの材料で一次成型することができる。
【図面の簡単な説明】
【０００８】
【図１】本発明の斜視図
【図２】本発明の側面図
【図３】本発明の他の実施例を示す斜視図
【図４】本発明の他の実施例の部分斜視図
【符号の説明】
【０００９】１  Ｃリング
２  Ｃリング
３  玉
４  コイルばね
【図１】
2005342487.tif 000003
【図２】
2005342487.tif 000004
【図３】
2005342487.tif 000005
【図４】
2005342487.tif 000006
(57)【要約】「課題」流体容器に入っている流体を活性化させて、流体磁気活性化に使用しない時は装飾品・保健具として使用するので流体容器との脱着が簡単で軽い携帯用の流体磁気活性ストラップを提供する。「解決手段」流体容器と本発明の流体磁気活性ストラップとの脱着が簡単で軽量でなければならないので素材に非磁性体の紐を使用する。永久磁石も強磁性の超小形磁石を装着し強磁界の形成と軽量化を計り利用する目的の多いことを特徴とする流体磁気活性ストラップである。「選択図」  図１【特許請求の範囲】
【請求項１】
磁気によって流体の活性化を計る流体磁気活性器の素材に紐状の非磁性体を使用することを特徴とする流体磁気活性ストラップ。
【請求項２】
非磁性体の紐に小形の永久磁石を装着しストッパーを取付けて容器との脱着を容易に巻付脱着できる流体磁気活牲ストラップ。
【請求項３】
流体磁気活性器として使用しない時は、ブレスレット・ネックレスとして使用するために小形永久磁石を装着した以外の紐に宝飾する。永久磁石を装着しているので保健器具にもなり装飾品ともなる流体磁気活性ストラップ。
【請求項４】
流体磁気活性ストラップを多目的で使用する場合の上記請求項３の素材には非磁性体の金属をチェン状として使用する、流体磁気活性ストラップ。
【発明の詳細な説明】
【技術分野】
【０００１】本発明は、非磁性体の紐に小形永久磁石を装着した、流体磁気活性ストラップに関するものである。
「背景技術」【０００２】従来、永久磁石を使った流体磁気活性化装置はある。
「発明の開示」
「発明が解決しようとする課題」【０００３】そのために次のような問題点があった。
（ア）固定式なので水道用以外の使用に適さなかった。
（イ）携帯用としては容器との脱着には伸縮性が必要とされるので素材にゴム質のものを使っているが取付場所が注ぎ口に近いためゴム臭がきつい問題がある。
（ウ）容器の大小により装着できない問題がある。
本発明は、これらの問題点を解決するためになされたものである。
「問題を解決するための手段」【０００４】本発明の請求項１の流体磁気活性化に必要な小形永久磁石を装着する素材は非磁性体の紐なので、伸縮自在であり臭いもなく容器の大小に関係なく巻付け装着できるので携帯用として素材を非磁性体の紐で解決する。
「発明の効果」【０００５】本発明の流体磁気活性ストラップは流体容器に直接巻付け装着して使用するので強磁界が形成されるのでいままでにない活性化された流体となります。【０００６】本発明の請求項３で記述しましたごとく、流体磁気活性ストラップとして使用してない時は、ブレスレット・ネックレス等の装飾品として使用できるように、小形永久磁石を装着した以外の紐の部分に１８Ｋ・真珠・飾紐等を配置し装着する。【０００７】本発明の上記商品は永久磁石を装着しているので装飾用として使用しいる場合でも保健にもなる。【０００８】永久磁石の配列はＮ極・Ｓ極を交互とせず、引力・斥力・偶力を生かす配列として、個数は偶数とする。
異極を反転させる偶力が加わわるので強磁界を形成する。
「発明を実施するための最良の形態」【０００９】以下、本発明の実施の形態について説明する。
図１の本発明の流体磁気活性ストラップはストッパー２で脱着する。
図２は本発明の流体磁気活性ストラップを５００ｍｍｌのペットボトルに装着した状態でストッパー２で脱着してリング状とする。
【図面の簡単な説明】
【００１０】「図１」  本発明の流体磁気活性ストラップの斜視図。
「図２」本発明の流体磁気活性ストラップをペットボトルに装着した状態の斜視図。
【符号の説明】
【００１１】１  永久磁石
２  ストッパー
３  装飾紐
４  ペットボトル
５  ペットボトルのキヤップ
【図１】
2005342481.tif 000002
【図２】
2005342481.tif 000003
(57)【要約】【課題】胴部材の前面上部に設けられたノーズ部の下方から前記胴部材の前面に亘る部分を多様な形態のデザインにする液体貯留ポットを提供する。【解決手段】胴部材１の前面上部にノーズ部２を設け、このノーズ部２の下板部に吐出口の挿入孔４を設け、ノーズ部下方にある前記胴部材１の前面にマスク部材５を取付けた液体貯留ポットを、前記マスク部材５の上端を前方に湾曲させ、この湾曲面部分で前記ノーズ部２の下板部を形成した構成を採用した。【選択図】図１
2005342021.tif 000002
【特許請求の範囲】
【請求項１】
胴部材の前面上部にノーズ部を設け、このノーズ部の下板部に吐出口の挿入孔を設け、ノーズ部下方にある前記胴部材の前面にマスク部材を取付けた液体貯留ポットにおいて、前記マスク部材の上端を前方に湾曲させ、この湾曲面部分で前記ノーズ部の下板部を形成したことを特徴とする液体貯留ポット。
【請求項２】
前記胴部材の前面部に前記マスク部材の湾曲面部分と合致する曲面部分を備えた前部壁面を形成したことを特徴とする請求項１に記載の液体貯留ポット。
【請求項３】
水位目盛りを表示した印刷シートを前記胴部材に貼り付け、前記マスク部材にて覆ったことを特徴とする請求項１または２に記載の液体貯留ポット。
【発明の詳細な説明】
【技術分野】
【０００１】
この発明は、電気ポットや保温ポットなどの液体貯留ポットに関する。
【背景技術】
【０００２】
インスタントのコーヒーや味噌汁を入れたカップに液体貯留ポットの吐出口からお湯を注ぐ際、跳ね滴で液体貯留ポットの胴部材前面が汚れ易い。そこで、従来から、胴部材の前面上部に設けられたノーズ部の下方を胴部材の下端に亘って開放し、前記ノーズ部の下板部に吐出口の挿入孔を設け、前記開放部の両側に設けられたスライド溝にマスク部材を嵌合した液体貯留ポットがある（特許文献１）。
【０００３】
【特許文献１】特開２００１−２４５７８９号公報（段落００１２〜段落００１４、図１、図２参照）
【発明の開示】
【発明が解決しようとする課題】
【０００４】
しかしながら、特許文献１に記載の液体貯留ポットでは、前記マスク部材の両側を前記胴部材の開放部の両側に設けたスライド溝に嵌合させた構造なので、前記胴部材の内方に凹入する湾曲面を形成することは可能であるが、前記スライド溝に嵌合する部分は平板状にせざるを得ず、外観上よく目立つ部分であるマスク部材を斬新なデザインにすることが難しいという問題があった。
【０００５】
そこで、この発明の課題は、胴部材の前面上部に設けられたノーズ部の下方から前記胴部材の前面に亘る部分を覆うマスク部材を斬新なデザインにする液体貯留ポットを提供することにある。
【課題を解決するための手段】
【０００６】
上記課題を解決するため、この発明では、胴部材の前面上部にノーズ部を設け、このノーズ部の下板部に吐出口の挿入孔を設け、ノーズ部下方にある前記胴部材の前面にマスク部材を取付けた液体貯留ポットを、前記マスク部材の上端を前方に湾曲させ、この湾曲面部分で前記ノーズ部の下板部を形成した構成を採用した。
【０００７】
上記構成においては、前記胴部材の前面部に前記マスク部材の湾曲面部分と合致する曲面部分を備えた前部壁面を形成することが好ましい。
【０００８】
上記構成によれば、前記マスク部材の上端を前方に湾曲させ、この湾曲面部分で前記ノーズ部の下板部を形成したので、胴部材の前面上部に設けられたノーズ部の下方から前記胴部材の前面に亘る部分を、前記マスク部材の湾曲面の形態を変えることにより多様な湾曲面形状に設けることが可能になる。
【発明の効果】
【０００９】
したがって、この発明によれば、従来、胴部材の一部で形成されていたノーズ部の下板部をマスク部材の一部によって形成することにより、マスク部材の胴部材前面部分からノーズ部の下板部に亘る範囲を前方に湾曲した斬新なデザインをもった液体貯留ポットを提供することができる。
【発明を実施するための最良の形態】
【００１０】
以下、この発明を実施するための最良の形態に係る液体貯留ポットを添付図面に基づいて説明する。
図１〜図４に示すように、液体貯留ポットは、胴部材１の前面上部に前方へ出張ったノーズ部２が設けられ、このノーズ部２の下板部に内容器３からの湯水を吐出する吐出口の挿入孔４が設けられ、ノーズ部２の下方にある胴部材１の前面にマスク部材５が取付けられた構成を有する。
【００１１】
胴部材１は、楕円筒状を呈する上部と、円弧面と平面とを有する下部とからなり、上部前面が次第に下部前面よりも前方に膨出されている。胴部材１の上面には、前方側に操作部６が設置され、後方側には蓋７が設けられている。また、胴部材１の下面には、底蓋８が取付けられている。
【００１２】
ノーズ部２は、胴部材１の膨出部分からなり、その下面を閉塞する下板部は、マスク部材５で覆われている。
【００１３】
マスク部材５は、上端を前方に湾曲させた湾曲面部分が形成されており、この湾曲面部分がノーズ部２の下板部を構成するようになっている（図２参照）。さらに、マスク部材５には、吐出口の挿入孔４が吐出口の側面を覆う円筒状に設けられている。マスク部材５は、胴部材１の前面部を構成する前部壁面９に前方から結合一体化されている。前部壁面９は、マスク部材５の湾曲面部分と合致するように設けられた曲面部分と、この曲面部分から下方に連設された平板状部分とからなる。
【００１４】
前部壁面９の後方には、内容器３の残水量を示す水量管１０が配置されている。前部壁面９の前面には、水量管１０の水位表示部材１１が設けられている（図３、図４参照）。水位表示部材１１には、水量管１０の前方の前部壁面９に透明パネル部を設け、この部分の前面に水位目盛りを表示した印刷シートを貼り付けたものを用いることができる。この水位表示部材１１は、前部壁面９に覆われており、マスク部材５に形成された覗き窓１２を通して読み取るようになっている。覗き窓１２は、水位表示部材１１の位置に合わせてマスク部材５を切り欠いて形成されている。上記のように水位表示部材１１を設けると、水位表示部材１１が前部壁面９に覆われているので、印刷シートの浮き上がりが防止される。また、覗き窓１２のところに水位表示部材１１が存在するため、マスク部材５と前部壁面９との間に生じる隙間が覗き窓１２の端部から見えなくなる。
【図面の簡単な説明】
【００１５】
【図１】実施形態に係る液体貯留ポットの全体斜視図
【図２】同上の胴部材の分解斜視図
【図３】同上の部分拡大縦断側面図
【図４】同上の正面図
【符号の説明】
【００１６】
１  胴部材
２  ノーズ部
３  内容器
４  挿入孔
５  マスク部材
６  操作部
７  蓋
８  底蓋
９  前部壁面
１０  水量管
１１  水位表示部材
１２  覗き窓
【図１】
2005342021.tif 000003
【図２】
2005342021.tif 000004
【図３】
2005342021.tif 000005
【図４】
2005342021.tif 000006
(57)【要約】【課題】ヘアゴム飾りを簡単かつ適正に取り付けられるようにする事を特徴とする。【解決手段】開閉自在に連結されて閉状態で環状を呈する本体部Ａ,Ｂは、内部には開状態でＣの字状の一対からなる歯車３ａ,３ｂから構成され、この歯車部分を回転させるために、チェーン４を具備した簡単な構造からなる。第１の係止構造５は一方の歯車３ａに、次いで第２の係止構造７を一方の枠体２ｂに設けた構成とする。【選択図】図１
2005342067.tif 000002
【特許請求の範囲】
【請求項１】
開閉自在に連結され、閉状態で環状を呈する一対の枠体と前記枠体内部に閉状態で環状を呈する一対の歯車を備え、かつ、ヘアゴム飾りを係止する為の第１の係止構造を前記閉状態で環状を呈する一方の歯車に、また第２の係止構造を前記閉状態で環状を呈する一方の枠体に備え、前記歯車を回転させるのに使用するチェーンを備えたことを特徴とする髪結束用補助具。
【発明の詳細な説明】
【技術分野】
【０００１】
本発明は、髪を簡単かつ一様に結束することができる、比較的小型で携帯可能なヘアゴム飾りを使用した髪結束用補助具に関する。
【背景技術】
【０００２】
図１２を参照する。従来、髪Ｄを結束するのに、多重の輪にしたヘアゴム飾りＣ等が用いられ、このヘアゴム飾りＣの輪の中に髪Ｄを左右の手を駆使し、髪Ｄの基部を結束している。
【発明の開示】
【発明が解決しようとする課題】
【０００３】
しかしながら、このような従来例によれば、ヘアゴム飾りＣの輪の中に髪Ｄを通すのに手間がかかり、また、結束時に髪Ｄが乱れ易く、仕上がりも一様ではないという問題点がある。
【０００４】
本発明は、このような事情に鑑みてなされたものであって、髪を容易かつ一様に結束することができるヘアゴム飾りを使用した髪結束用補助具を提供することを目的とする。
【課題を解決するための手段】
【０００５】
本発明は、このような目的を達成するために、次のような構成をとる。すなわち、請求項１に記載の発明は、開閉自在に連結され、閉状態で環状を呈する一対の枠体と前記枠体内部に閉状態で環状を呈する一対の歯車を備え、かつ、ヘアゴム飾りを係止する為の第１の係止構造を前記閉状態で環状を呈する一方歯車に、また第２の係止構造を前記閉状態で環状を呈する一方の枠体にも備え、前記歯車を回転させるのに使用するチェーンを備えた物である。
【発明の効果】
【０００６】
以上の説明から明らかなように、本発明によれば次の効果を奏する。請求項１に記載の発明によれば、一対の枠体を開状態から閉状態にすることにより、髪を挟みこんでヘアゴム飾りを容易に巻きつけられるので、髪をヘアゴム飾りの輪に通すなどの操作が不要で、髪の乱れが少なく一様に結束することができ、仕上がりが綺麗である。
【発明を実施するための最良の形態】
【０００７】
請求項１に記載の発明の作用は次のとおりである。髪を結束する場合、まず両枠体の基端部を中心にして大きく開く。この状態において、ヘアゴム飾りは、第１の係止構造を有する歯車に係止、次いで第２の係止構造を有する一方の枠体にも係止されているが、この時ヘアゴム飾りの状態はＵの字状を呈する。この開状態にある枠体を髪の結束したい部位にあてがい、両枠体を閉じていく。そこで内部の閉状態で環状を呈する歯車をチェーンで引く事で歯車は回転し、ヘアゴム飾りを係止する第１の係止構造部分が髪を２,３回転する。これにより多重の輪にした状態になり、髪を束ねた状態になる。最後はヘアゴム飾りの両端に付するアクセサリー部分で結束し本発明を髪から取り除く。
【０００８】
以下、図面に基き、本発明による髪結束用補助具の使用方法の好適な実施の形態を説明する。
【０００９】
＜実施例＞図１は実施例に係る髪結束用補助具を示した分解斜視図である。
【００１０】
図中、符号Ａ，Ｂは、基端部６が開閉自在に連結され、開状態で環状を呈するＣの字状の枠体である。枠体Ａ，Ｂはその外径が３０〜５０ｍｍ程度で、プラスチックやアルミニウム等の比較的軽い材料で形成され、携帯に便利なように構成されている。
【００１１】
内部には開状態で環状を呈するＣの字状の歯車３ａ,３ｂが包括され、一方の歯車３ａには、第一の係止構造５を具備し第二の係止構造７は一方の枠体２ａに具備する。この歯車３ａ,３ｂを回転運動させるために使用するチェーン４を巻きつけた状態にセットし、このチェーン４を引く事で回転運動する。図７は符号８の突起が符号９の凹みに重なる事で常に、第一係止構造及び第二係止構造の位置を定位置に揃える事が出来る。
【００１２】
以上のように構成された実施例に係る髪結束用補助具の作動を図８〜図１１を参照して説明する。
【００１３】
図８は、第一係止構造５、及び第二係止構造７にヘアゴム飾りＣの両端部をそれぞれ括り止める。この時、ヘアゴム飾りＣはＵの字状に垂れ下がった状態になる。髪Ｄの基部にＡ,Ｂをあてがい閉じていく事により挟み込み完全な環状態にする。この状態でチェーン４を引き、歯車に具備された第一係止構造５が挟み込んだ髪Ｃの基部を回る。回り過ぎる事を避けるために、図７の通り定位置に来る度に突起と凹みが重なり合う。これで２重３重のヘアゴム飾りＣの結束を可能にする。最終段階としてヘアゴム飾りの両端部分で結束し、本発明を髪より取り外す。
【００１４】
以上、本発明の好適な実施の形態の例を説明したが、本発明は前記した実施の形態に限定されず、本発明の趣旨を逸脱しない範囲で適宜設計変更が可能である。
【００１５】
たとえば、前記した実施の形態で、チェーンを使用したが、歯車と歯車で回転運動を伝達する方法や、内部の歯車自体回転させる事も可能と考えられる。
【図面の簡単な説明】
【００１６】
【図１】本発明の髪結束用補助具の分解斜視図である。
【図２】本発明の髪結束用補助具の外観斜視図である。
【図３】本発明の正面図である。
【図４】本発明の側面図である。
【図５】本発明の背面図である。
【図６】本発明の平断面図である。
【図７】本発明の歯車部分の平面図である。
【図８】実施例に係る本発明の作動説明図である。
【図９】実施例に係る本発明の作動説明図である。
【図１０】実施例に係る本発明の作動説明図である。
【図１１】実施例に係る本発明の作動説明図である。
【図１２】従来例の説明図である。
【符号の説明】
【００１７】
Ａ,Ｂ・・・本体部
１ａ,１ｂ・・・枠体蓋
２ａ,２ｂ・・・枠体
３ａ,３ｂ・・・歯車
４・・・チェーン
５・・・第１係止部
６・・・基端部
７・・・第２係止部
８・・・突起
９・・・凹み
Ｃ・・・ヘアゴム飾り
Ｄ・・・髪
【図１】
2005342067.tif 000003
【図２】
2005342067.tif 000004
【図３】
2005342067.tif 000005
【図４】
2005342067.tif 000006
【図５】
2005342067.tif 000007
【図６】
2005342067.tif 000008
【図７】
2005342067.tif 000009
【図８】
2005342067.tif 000010
【図９】
2005342067.tif 000011
【図１０】
2005342067.tif 000012
【図１１】
2005342067.tif 000013
【図１２】
2005342067.tif 000014
(57)【要約】【課題】固定バンドに、横ぶれ、回転、上下作動機能が一体となる折り畳み収納できる、遮光プレート保持具を提供する。【解決手段】固定バンドの片方側面に軸を介し横ぶれするコ状の横振れ材を設け、その横振れ材に軸を介し回転するコ状の回転材更にその回転材の左右にアームを受ける軸を設け、又アームの端に遮光プレート受け枠用軸を設けたことを特徴とする、遮光プレート保持具。【選択図】図３
2005342784.tif 000002
【特許請求の範囲】
【請求項１】
固定バンドの片方側面に軸を介し横振れするコ状の横振れ材（３），その横振れ材に軸を介し回転するコ状の回転材（４）、更にその回転材の左右に、アーム（６）を受ける軸を設け、またアームの端に遮光プレート受け枠用軸を設けたことを特徴とする、遮光プレート保持具。
【発明の詳細な説明】
【技術分野】
【０００１】本発明は、横振れ、回転、上下作動機能が一体となる、折り畳み収納できる遮光プレート保持具に、遮光プレートを装着する溶接に関するものである。
【背景技術】
【０００２】従来、遮光プレート保持具は手持ち面、かぶり型面はある。
【発明の開示】
【発明が解決しようとする課題】
【０００３】そのために、次のような問題点があった。
（イ）溶接作業時、片方の手に溶接棒ホルダー、トーチを持ち一方の手に遮光面をもち溶接する作業の姿勢では、仕事の状態により手を使用できず不便があった。
（ロ）、（イ）を解決するため、被り型面がある。然し視野が狭くなり煩わしい。
本発明は、これらの問題点を解決するためになされたものである。
【課題を解決するための手段】
【０００４】電棒ホルダー及びトーチに装着する固定バンドの片方側面に軸を介し横振れするコ状の横振れ材（３）、その横振れ材に軸を介し回転するコ状の回転材（４）、更にその回転材の左右にアーム（６）を受ける軸を設け、又アームの端に遮光プレート受け枠軸をもうけた。以上を特徴とする遮光プレート保持具である。
【発明の効果】
【０００５】本発明の保持具を使用することにより、片方の手の使用が可能になり、溶接作業の状況により、より良い状態の姿勢により溶接作業が出来る。
【発明を実施するための最良の形態】
【０００６】以下本発明の実施の形態について説明する。
本装置の全ての軸は、バネ材の装着により最良の角度を保持することが出来る。
（イ）  固定バンド（１）の側面に、コ状の横ぶれ材（３）を設けその横ぶれ材の中央軸を介し回転する回転材（４）を設ける。
（ロ）  コ状の回転材（４）の左右に、アーム（６）を受ける軸を設ける。又アームの片方の端に遮光プレート受け枠を受ける軸を設ける。
本発明は以上のような構成で、これを使用するときは固定バンド（１）をトーチ又は電棒ホルダーの任意の所に固定するだけで使用出来る。
溶接作業の状態又は姿勢により四箇所の軸により最良の角度を調節出来る。
不使用時は折り畳み収納できる。
【実施例】
【０００７】図３に示すようにトーチ及び電棒ホルダーに固定バンドを装着するだけで使用出来、四箇所のバネ材により任意の角度を保つことが出来る。
不使用時は折り畳み収納出来る。
【図面の簡単な説明】
【０００８】
【図１】本発明の平面図
【図２】本発明の側面図
【図３】本発明の実施例を示す  姿図
【符号の説明】
【０００９】１  固定バンド
２  軸
３  横振れ材
４  回転材
５  バネ材
６  アーム
７  遮光プレート受け枠
８  遮光プレート押さえバネ材
【図１】
2005342784.tif 000003
【図２】
2005342784.tif 000004
【図３】
2005342784.tif 000005
(57)【要約】【課題】  左利き、右利きのどちらにも容易に対応できるパターを提供する。【解決手段】  パターヘッド上端面に装着用の長穴が形成されたヘッド本体（１０）と、前記長穴に挿入して固定可能な装着辺（２１ａ）が形成されたトップエッジ部（２１）、トップエッジ部の一方の端部側から上方へ延びるネック部（２２）、及びネック部上端に形成されたソケット（２３）が一体化されたパターシャフト装着用部材（２０）とを有し、前記装着辺は、一方向及びその逆方向において前記長穴に挿入して固定可能であるように構成したものである。【選択図】        図１
2005342215.tif 000002
【特許請求の範囲】
【請求項１】
パターヘッド上端面に装着用の長穴が形成されたヘッド本体と、
前記長穴に挿入して固定可能な装着辺が形成されたトップエッジ部、トップエッジ部の一方の端部側から上方へ延びるネック部、及びネック部上端に形成されたソケットが一体化されたパターシャフト装着用部材と、
を有し、前記装着辺は、一方向及びその逆方向において前記長穴に挿入して固定可能であることを特徴とするゴルフクラブパター。
【発明の詳細な説明】
【技術分野】
【０００１】
本発明は左利き、右利きどちらにも対応できるようにしたゴルフクラブパター（以下、パター）に関する。
【背景技術】
【０００２】
従来、パターヘッド本体からネックを介して上方に延びるホーゼルに対してパターシャフトの先端を挿入し、ホーゼル上端でパターシャフトを着脱自在に固定することにより、ゴルファーのフィーリングに合うように容易にパターシャフトを交換できるようにしたパターが提案されている（特許文献１）。
【０００３】
また、パターヘッド本体に対してホーゼルを取り替え可能に固定し、プレーヤーの好みやゴルフコースのグリーンの状態に応じてホーゼルを取り替えられるようにしたパターも提案されている（特許文献２）。
【特許文献１】特開平９−２８５５７４号公報
【特許文献２】特開平１１−２７６６４８号公報
【発明の開示】
【発明が解決しようとする課題】
【０００４】
上記特許文献１、２に示されているように、従来のパターではゴルファーのフィーリングに合うように、或いはプレーヤーの好みに応じてパターシャフトやホーゼルを交換可能にするものは提案されているが、左利き、右利きのどちらにも対応できる具体的構造をもつパターについての提案はない。
【課題を解決するための手段】
【０００５】
本発明は上記課題を解決しようとするもので、左利き、右利きのどちらにも容易に対応できるパターを提供することを目的とする。
そのために本発明は、パターヘッド上端面に装着用の長穴が形成されたヘッド本体と、前記長穴に挿入して固定可能な装着辺が形成されたトップエッジ部、トップエッジ部の一方の端部側から上方へ延びるネック部、及びネック部上端に形成されたソケットが一体化されたパターシャフト装着用部材とを有し、前記装着辺は、一方向及びその逆方向において前記長穴に挿入して固定可能であることを特徴とする。
【発明の効果】
【０００６】
本発明は、ヘッド本体の上端面に形成した装着穴にパターシャフト装着用部材を一方向及びその逆方向において装着できるようにしたので、左利き、右利きに応じてパターシャフト装着用部材の入れる方向を選択することにより、左利き、右利きのどちらにも容易に対応することが可能である。
【発明を実施するための最良の形態】
【０００７】
以下、本発明の実施の形態について説明する。
図１は右利き用とした場合のパターヘッドの分解斜視図、図２は左利き用とした場合のパターヘッドの分解斜視図、図３は右利き用とした場合のパターヘッドを示す図である。
例えばステンレス製や軟鉄製のヘッド本体１０は、粗面化したフェース面１１を有し、その上端面１２にはその両端部間に延びる細長い装着用の長穴、例えば長方形の穴１３が形成されている。
【０００８】
パターシャフト装着用部材２０は、アルミニウム製、チタン製、樹脂製等であり、トップエッジ部２１、トップエッジ部の一端側から上方へ延びるネック部２２、ネック部２２の先端に形成されたパターシャフト装着用のソケット２３からなっていて、これらが一体に形成されている。トップエッジ部２１の下部には、長穴１３に嵌合するための装着辺２１ａが形成され、装着辺２１ａにはヘッド本体に固定するためのネジ孔２１ｂが形成されている。
【０００９】
本発明では、この装着辺２１ａと装着用の長穴１３は、装着辺２１ａを一方向、及びその逆向きで装着できるような形状にしている。そして、例えば、右利き用とする場合には、図１、図３に示すように、ネック部２２側に立ってソケット２３に装着したシャフト（図示せず）をグリップした人にとってフェース面１１が左側となるようにパターシャフト装着用部材２０をヘッド本体１０に装着して固定する。左利き用とする場合には、パターシャフト装着用部材２０を図１とは逆方向にして装着する。すなわち、図２に示すように、ネック部２２側に立ってソケット２３に装着したシャフト（図示せず）をグリップした人にとってフェース面１１が右側となるようにパターシャフト装着用部材２０をヘッド本体１０に装着して固定する。
【００１０】
このように、ヘッド本体の上端面に形成した装着穴にパターシャフト装着用部材を一方向及びその逆方向において装着できるようにしたので、左利き、右利きのどちらにも容易に対応することが可能である。なお、シャフト装着用部材２０のヘッド本体１０への固定は、ネジ固定に限らず、接着などを用いてもよい。
【００１１】
なお、ヘッド本体をステレンス製、軟鉄製、アルミニウム合金製、樹脂製等とし、シャフト装着用部材２０をアルミニウム製、チタン製、樹脂製等とし、かつ重心を低くするように構造等を工夫することでバックスピンがかかり易くなる。また、これとは逆に、重心位置が高くなるように構成することでボールに順回転を与えるようにしてもよい。
【産業上の利用可能性】
【００１２】
本発明によれば、左利き、右利きのどちらにも容易に対応できるパターが提供できるので産業上の利用価値は大きい。
【図面の簡単な説明】
【００１３】
【図１】右利き用とした場合のパターヘッドの分解斜視図である。
【図２】左利き用とした場合のパターヘッドの分解斜視図である。
【図３】右利き用とした場合のパターヘッドを示す図である。
【符号の説明】
【００１４】
１０…ヘッド本体、１１…フェース面、１２…上端面、１３…装着用の長穴、２０…パターシャフト装着用部材、２１…トップエッジ部、２２…ネック部、２３…ソケット。
【図１】
2005342215.tif 000003
【図２】
2005342215.tif 000004
【図３】
2005342215.tif 000005